(57)【要約】【課題】本発明は、受信相手先によって受信可能枚数による制限をするか否か、特定の受信相手先「以外」を受信枚数制限の対象としたり、あるいは受信枚数制限の対象を特定の受信相手先とするか否か、あるいは受信相手先「以外」とするかを任意に切り替えられる画像通信制御方法及び画像通信装置を提供する。【解決手段】本発明の画像通信制御方法は、原稿を受信して記録し、受信する原稿の上限枚数を入力設定し、受信原稿の枚数が上限枚数よりも多いときは受信を拒否する画像通信制御方法である。そして、受信の対象相手先情報を予め任意に入力設定し、受信の相手先が対象相手先だった場合のみ受信原稿の枚数が上限枚数より多いとき受信を拒否する。【選択図】　　　　図４
2004088213.tif 000002
【特許請求の範囲】
【請求項１】
原稿を受信して記録し、受信する原稿の上限枚数を入力設定し、受信原稿の枚数が前記上限枚数よりも多いときは受信を拒否する画像通信制御方法において、
受信の対象相手先情報を予め任意に入力設定し、受信の相手先が前記対象相手先だった場合のみ前記受信原稿の枚数が前記上限枚数より多いとき受信を拒否することを特徴とする画像通信制御方法。
【請求項２】
前記受信原稿の前記上限枚数を適用する受信の対象相手先は設定した相手先「以外」とする請求項１記載の画像通信制御方法。
【請求項３】
前記受信原稿の前記上限枚数を適用する受信の対象相手先は設定した相手先と設定した相手先「以外」で任意に切り替え可能とする請求項２記載の画像通信制御方法。
【請求項４】
設定した受信対象相手先毎に、前記受信原稿の上限枚数を個別に入力設定することが可能とする請求項１〜３のいずれかに記載の画像通信制御方法。
【請求項５】
原稿を受信して記録する手段と、受信する原稿の上限枚数を入力設定する手段と、受信原稿の枚数が前記上限枚数よりも多いときは受信を拒否する手段とを具備する画像通信装置において、
受信の対象相手先情報を任意に入力設定する手段を備え、受信の相手先が前記対象相手先だった場合のみ前記受信原稿の枚数が前記上限枚数より多いとき受信を拒否することを特徴とする画像通信装置。
【発明の詳細な説明】
【０００１】
【発明の属する技術分野】
本発明は画像通信制御方法及び画像通信装置に関し、詳細にはファクシミリ装置等の画像通信装置において予め設定した受信原稿の上限枚数よりも枚数の多い原稿の受信を規制しようとする画像通信制御方法に関する。
【０００２】
【従来の技術】
従来のファクシミリ装置には、予め設定された受信可能枚数を越える画像データが送信されてくる場合その画像データの受信開始前に受信を規制するという機能を有するものがあった。その機能を有する従来のファクシミリ装置に関していくつかの提案がされている。特開平９−１８１９０１号公報（以下従来例１と称す）のファクシミリ装置も上記受信規制の機能を有するものである。その他としては、特開平１１−１７９１３号公報（以下従来例２と称す）に、メモリボックスのオーバーフローを防ぐために、当該メモリボックスに蓄積するとき受信の原稿蓄積枚数を予め制限設定できる通信端末装置が提案されている。
【０００３】
【発明が解決しようとする課題】
しかしながら、上記従来例１，２では、受信相手先によって受信可能枚数による制限をする、又はしないを使い分けたいという利用者の要求に対応できなかった。また、特定の受信相手先「以外」を受信枚数制限の対象としたいという利用者の要求にも対応できなかった。更に、受信枚数制限の対象を特定の受信相手先とするか、受信相手先「以外」とするかを任意に切り替えたいという利用者の要求に対応できなかった。
【０００４】
本発明はこれらの問題点を解決するためのものであり、受信相手先によって受信可能枚数による制限をする、又はしないを使い分けたり、特定の受信相手先「以外」を受信枚数制限の対象としたり、あるいは受信枚数制限の対象を特定の受信相手先とするか、受信相手先「以外」とするかを任意に切り替えられる画像通信制御方法及び画像通信装置を提供することを目的とする。
【０００５】
【課題を解決するための手段】
前記問題点を解決するために、本発明の画像通信制御方法は、原稿を受信して記録し、受信する原稿の上限枚数を入力設定し、受信原稿の枚数が上限枚数よりも多いときは受信を拒否する画像通信制御方法である。そして、受信の対象相手先情報を予め任意に入力設定し、受信の相手先が対象相手先だった場合のみ受信原稿の枚数が上限枚数より多いとき受信を拒否することに特徴がある。また、受信原稿の上限枚数を適用する受信の対象相手先は設定した相手先「以外」とする。よって、大量広告等の受信を特定して拒否することができ、利用者が不要と思う受信において無駄な記録紙を消費せずに済むという効果がある。
【０００６】
また、受信原稿の上限枚数を適用する受信の対象相手先は設定した相手先と設定した相手先「以外」で任意に切り替え可能とすることにより、より多くの利用者の要求に対応できる。
【０００７】
更に、設定した受信対象相手先毎に、受信原稿の上限枚数を個別に入力設定することが可能とすることにより、より多くの利用者の要求に対応できる。
【０００８】
また、別の発明としての画像通信装置は、原稿を受信して記録する手段と、受信する原稿の上限枚数を入力設定する手段と、受信原稿の枚数が上限枚数よりも多いときは受信を拒否する手段とを具備する。更に、受信の対象相手先情報を任意に入力設定する手段を備え、受信の相手先が対象相手先だった場合のみ受信原稿の枚数が上限枚数より多いとき受信を拒否する。よって、大量広告等の受信を特定して拒否することができ、利用者が不要と思う受信において無駄な記録紙を消費せずに済む画像通信装置を提供することができる。
【０００９】
【発明の実施の形態】
本発明の画像通信制御方法は、受信の対象相手先情報を予め任意に入力設定し、受信の相手先が対象相手先だった場合のみ受信原稿の枚数が上限枚数より多いとき受信を拒否する。
【００１０】
【実施例】
図１は本発明の一実施例に係る画像通信装置の構成を示すブロック図である。なお、本実施例はファクシミリ装置を例にして説明する。同図において、本実施例のファクシミリ装置１０は、ＣＰＵ１１、ＲＯＭ１２、ＲＡＭ１３、画像メモリ１４、操作部１５、表示部１６、画像読取部１７、画像出力部１８、符号化復号化部１９、モデム２０、網制御部２１を含んで構成され、各部は内部バス２２に接続されている。そして、ＣＰＵ１１は、ファクミリ装置１０を制御する。ＲＯＭ１２は、ＣＰＵ１１を動かすためのプログラムを格納している。ＲＡＭ１３は、ファクシミリ装置１０を制御するために必要なデータを格納するメモリで、揮発メモリ部と不揮発メモリ部に分れている。画像メモリ１４は、受信した画像や画像読取部１７により取り込んだ画像を一時保存する。操作部１５は、ファクシミリ装置１０を操作するもので、各種操作キーからなる。表示部１６は、操作内容等を表示し各種の表示器からなる。画像読取部１７は、所定の解像度で原稿を読み取る。画像出力部１８は、所定の解像度で画像を記録出力する。符号化復号化部１９は、ＦＡＸ通信に必要な画像情報の圧縮、伸長（ＪＰＥＧ圧縮・伸長を含む）を行う。モデム２０は、公衆回線網等のネットワーク網へデータの送受信を行う。網制御部２１は、ＰＳＴＮ（電話網）と電気的インターフェースをとる。
【００１１】
次に、本実施例における画像通信装置の初期設定動作について図２に示す動作フローに従って説明する。同図において、利用者は、受信したい相手先の名称または電話番号など相手先を識別できる情報を入力し（ステップＳ１０１）、図１のＲＡＭ１３に記憶させておく。その際、対象相手先毎に受信上限枚数を設定可能な場合はここで同時に入力し、対応付けておく（ステップＳ１０２）。対象相手先を追加したければ（ステップＳ１０３；ＹＥＳ）、ステップＳ１０１に戻って処理を繰り返す。そして、対象相手先毎の受信上限枚数登録機能が無い場合は、図３に示すフローチャートにおいて、全ての登録済み受信対象相手先に共通で１つ、受信上限枚数を設定する（ステップＳ２０１）。その際、受信上限枚数を適用する相手先を相手先「以外」とするかどうかを選択可能な場合はここで同時に入力する（ステップＳ２０２）。このように、利用者は予め相手先「以外」と設定しておくと、無制限で受信して良い相手先のみ登録しておけば、その他の知らない相手先全てを受信枚数制限できる。
【００１２】
次に、図４は本実施例の画像通信装置における受信時の対象相手先による受信枚数制限の処理を示すフローチャートである。同図において、ＦＡＸ受信が開始されると（ステップＳ３０１）、送信元からの相手先識別情報（ＲＴＩ；ＲｅｃｅｉｖｅＴｅｒｍｉｎａｌ　Ｉｄｅｎｔｉｆｉｃａｔｉｏｎ、ＣＳＩ；Ｃａｌｌｅｄ　Ｓｔａｔｉｏｎ　Ｉｄｅｎｔｉｆｉｃａｔｉｏｎ、ＴＩＤ；Ｔｅｒｍｉｎａｌ　Ｉｄｅｎｔｉｆｉｃａｔｉｏｎ等）を受信し（ステップＳ３０２）、同時に自機に登録されている受信対象相手先情報を読み出して（ステップＳ３０３）、相手先識別情報と比較する（ステップＳ３０４）。なお、ＲＴＩ、ＣＳＩ、ＴＩＤ等のうちのどれか１つ、または受信できるもの全てでも良い。受信対象相手先として認識する（一致する）と（ステップＳ３０４；ＹＥＳ）、次に送信元が送信しようとしている原稿枚数を受信し（ステップＳ３０５）、同時に自機に登録されている受信上限枚数を読み出して（ステップＳ３０６）、送信元原稿枚数と比較する（ステップＳ３０７）。送信元原稿枚数が受信上限枚数を超えていたら（ステップＳ３０７；ＹＥＳ）、受信を中断して処理を終了する（ステップＳ３０８）。超えていなかったら（ステップＳ３０７；ＮＯ）、そのまま画像を受信し（ステップＳ３０９）、受信終了処理を行う（ステップＳ３１０）。また、ステップＳ３０４で受信対象相手先に一致しなかった場合も（ステップＳ３０４；ＮＯ）、受信制限の必要が無いのでそのまま画像を受信し（ステップＳ３０９）、受信終了処理を行う（ステップＳ３１０）。なお、もし送信元が原稿枚数を事前に通知してこなかった場合は、まず画像の受信を開始し、上限枚数を超えたところで受信を中断するようにしても良い。
【００１３】
次に、図５は本実施例の画像通信装置における受信時の対象相手先による受信枚数制限の別の処理を示すフローチャートである。同図に示す処理は受信上限枚数を適用する相手先を相手先「以外」とするかどうかを選択可能な場合の処理である。同図において、ＦＡＸ受信が開始されると（ステップＳ４０１）、送信元からの相手先識別情報を受信し（ステップＳ４０２）、自機に登録されている受信対象相手先情報を読み出す（ステップＳ４０３）。そして、先に登録しておいた、受信上限枚数を適用する相手先を対象相手先「以外」とするかどうか、の設定を読み出す（ステップＳ４０４）。相手先が対象相手先「以外」である場合は（ステップＳ４０５；ＹＥＳ）であって、相手先識別情報と受信対象相手先情報が一致しない場合には（ステップＳ４０６；ＹＥＳ）、図４と同様の受信枚数制限フロー（ステップＳ４０８〜Ｓ４１１）へと移行する。一方、相手先が対象相手先の場合であって（ステップＳ４０５；ＮＯ）、相手先識別情報と受信対象相手先情報が一致する場合には（ステップＳ４０７；ＹＥＳ）、図４と同様の受信枚数制限フローへと移行する。その後は再び図４のフローと同様であるので説明は省略する。
【００１４】
なお、本発明は上記実施例に限定されるものではなく、特許請求の範囲内の記載であれば多種の変形や置換可能であることは言うまでもない。
【００１５】
【発明の効果】
以上説明したように、本発明の画像通信制御方法は、原稿を受信して記録し、受信する原稿の上限枚数を入力設定し、受信原稿の枚数が上限枚数よりも多いときは受信を拒否する画像通信制御方法である。そして、受信の対象相手先情報を予め任意に入力設定し、受信の相手先が対象相手先だった場合のみ受信原稿の枚数が上限枚数より多いとき受信を拒否することに特徴がある。また、受信原稿の上限枚数を適用する受信の対象相手先は設定した相手先「以外」とする。よって、大量広告等の受信を特定して拒否することができ、利用者が不要と思う受信において無駄な記録紙を消費せずに済むという効果がある。
【００１６】
また、受信原稿の上限枚数を適用する受信の対象相手先は設定した相手先と設定した相手先「以外」で任意に切り替え可能とすることにより、より多くの利用者の要求に対応できる。
【００１７】
更に、設定した受信対象相手先毎に、受信原稿の上限枚数を個別に入力設定することが可能とすることにより、より多くの利用者の要求に対応できる。
【００１８】
また、別の発明としての画像通信装置は、原稿を受信して記録する手段と、受信する原稿の上限枚数を入力設定する手段と、受信原稿の枚数が上限枚数よりも多いときは受信を拒否する手段とを具備する。更に、受信の対象相手先情報を任意に入力設定する手段を備え、受信の相手先が対象相手先だった場合のみ受信原稿の枚数が上限枚数より多いとき受信を拒否する。よって、大量広告等の受信を特定して拒否することができ、利用者が不要と思う受信において無駄な記録紙を消費せずに済む画像通信装置を提供することができる。
【図面の簡単な説明】
【図１】本発明の一実施例に係る画像通信装置の構成を示すブロック図である。
【図２】本実施例における画像通信装置の初期設定動作を示すフローチャートである。
【図３】本実施例における画像通信装置の初期設定動作を示すフローチャートである。
【図４】本実施例の画像通信装置における受信時の対象相手先による受信枚数制限の処理を示すフローチャートである。
【図５】本実施例の画像通信装置における受信時の対象相手先による受信枚数制限の別の処理を示すフローチャートである。
【符号の説明】
１０；ファクシミリ装置、１１；ＣＰＵ、１２；ＲＯＭ、１３；ＲＡＭ、
１４；画像メモリ、１５；操作部、１６；表示部、１７；画像読取部、
１８；画像出力部、１９；符号化復号化部、２０；モデム、２１；網制御部、
２２；内部バス。
【図１】
2004088213.tif 000003
【図２】
2004088213.tif 000004
【図３】
2004088213.tif 000005
【図４】
2004088213.tif 000006
【図５】
2004088213.tif 000007